(57)【特許請求の範囲】
【請求項１】
公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて前記検索アイテムを取得すると共に前記コンテンツサーバに発呼する情報端末装置並びに前記所望の検索アイテムに関連付けられたコンテンツを受信するファクシミリ装置と前記公衆回線網との間に配置され、前記公衆回線網との接続先を前記情報端末装置と前記ファクシミリ装置との間で切り替える回線制御装置であって、
前記公衆回線網との接続先を、前記検索アイテムの取得時には前記情報端末装置に切り替える一方、前記所望の検索アイテムに関連付けられたコンテンツの受信時には前記ファクシミリ装置に切り替え、
前記情報端末装置で前記コンテンツサーバに発呼した後、前記ファクシミリにおけるオフフックが検知されると、前記公衆回線網との接続先を前記情報端末装置から前記ファクシミリ装置に切り替え、
前記ファクシミリ装置におけるオフフックがあると、前記公衆回線網との接続先に関わらず、その旨を前記情報端末装置に通知することを特徴とする回線制御装置。
【請求項２】
前記公衆回線網との接続先の切替制御は、前記情報端末装置からの指示に応じて行うことを特徴とする請求項１記載の回線制御装置。
【請求項３】
公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて、前記所望の検索アイテムに関連付けられたコンテンツを受信するファクシミリ装置と共に、前記公衆回線網との接続先を本装置と前記ファクシリミ装置との間で切り替える回線制御装置に接続された情報端末装置であって、
前記所望の検索アイテムに含まれた宛先電話番号が選択されると前記コンテンツサーバに発呼し、その後に前記ファクシミリ装置における受信準備の完了を検知すると、前記公衆回線網との接続先を前記ファクシミリ装置に切り替える指示信号を前記回線制御装置に送出し、
前記コンテンツサーバに発呼した後、所定時間内に前記ファクシミリ装置における受信準備の完了を検知しない場合には前記ファクシミリ装置による前記所望の検索アイテムに関連付けられたコンテンツの受信処理を中止することを特徴とする情報端末装置。
【請求項４】
前記ファクシミリ装置による前記所望の検索アイテムに関連付けられたコンテンツの受信処理を中止した場合、その旨を示すメッセージを表示することを特徴とする請求項３記載の情報端末装置。
【請求項５】
前記ファクシミリ装置による前記所望の検索アイテムに関連付けられたコンテンツを受信している場合、その旨を示すメッセージを表示することを特徴とする請求項３又は請求項４に記載の情報端末装置。
【請求項６】
前記ファクシミリ装置による前記所望の検索アイテムに関連付けられたコンテンツの受信が完了すると、前記公衆回線網との接続先を本情報端末装置に切り替える支持信号を前記回線制御装置に送出することを特徴とする請求項３から請求項５のいずれかに記載の情報端末装置。
【発明の詳細な説明】
【０００１】
【発明の属する技術分野】
本発明は、ＮＴＴが提供するＬモードサービス等のデータ通信サービスに対応可能な情報端末装置、並びにこの情報端末装置及びファクシミリ装置や電話機等の通信装置と接続され、これらの装置間で公衆回線電話網との接続を切り替える回線制御装置に関する。
【０００２】
【従来の技術】
近年、インターネットに比較的馴染みの薄い主婦層や高齢者層の方等のインターネットの利用の増大を図るべく、ＮＴＴによりＬモードサービスというデータ通信サービスが提供されている。このＬモードサービスは、Ｌモード対応の電話機やファクシミリ装置からのメニュー操作により、簡単、便利に簡易メールの送受信や簡易ＨＴＭＬで記述された情報の検索が可能なサービスである。
【０００３】
例えば、簡易ＨＴＭＬで記述された情報検索サービスの提供を受ける場合には、Ｌモード対応端末からＬモードサービスを提供するＬモードサーバにアクセスし、Ｌモードサービスのメニュー画面を表示する。利用者はこのメニュー画面から任意のコンテンツを選択することで所望の情報の検索することができる。
【０００４】
Ｌモードサービスの主要な機能の一つに「ＦＡＸ  ＴＯ機能」がある。これは、「ＦＡＸ  ＴＯ機能」は、検索したホームページの画面誘導に従ってファクシミリサーバに対して発呼したＬモード対応端末が、ファクシミリサーバからファクシミリデータを当該Ｌモード対応端末に自動的に送信させる機能である。
【０００５】
【発明が解決しようとする課題】
しかしながら、上述の「ＦＡＸ  ＴＯ機能」は、Ｌモード対応のファクシミリ装置にのみ受けられるサービスであり、Ｌモードサービスに対応していない一般のファクシミリ装置は勿論、Ｌモード対応の電話機でもサービスを受けることができないという問題がある。
【０００６】
一方、利用者は現在、Ｌモードサービスに対応していない一般のファクシミリ装置を所有している場合が多く、Ｌモードサービス、特に「ＦＡＸ  ＴＯ機能」を用いたサービスを受けるためには、このファクシミリ装置からＬモード対応のファクシミリ装置に買い換えることが必要であることから、利用者の経済的負担が大きいという問題がある。
【０００７】
本発明は、かかる実情に鑑みて為されたものであり、Ｌモードサービスに対応していない一般のファクシミリ装置を利用してＬモードサービス、特に「ＦＡＸＴＯ機能」を利用したサービスの提供を可能とする情報端末装置及び回線制御装置を提供することを目的とする。
【０００８】
【課題を解決するための手段】
本発明は、公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて前記検索アイテムを取得すると共に前記コンテンツサーバに発呼する情報端末装置並びに前記所望の検索アイテムに関連付けられたコンテンツを受信するファクシミリ装置と前記公衆回線網との間に配置され、前記公衆回線網との接続先を前記情報端末装置と前記ファクシミリ装置との間で切り替える回線制御装置であって、前記公衆回線網との接続先を、前記検索アイテムの取得時には前記情報端末装置に切り替える一方、前記所望の検索アイテムに関連付けられたコンテンツの受信時には前記ファクシミリ装置に切り替え、前記情報端末装置で前記コンテンツサーバに発呼した後、前記ファクシミリにおけるオフフックが検知されると、前記公衆回線網との接続先を前記情報端末装置から前記ファクシミリ装置に切り替え、前記ファクシミリ装置におけるオフフックがあると、前記公衆回線網との接続先に関わらず、その旨を前記情報端末装置に通知するようにしたものである。
【０００９】
これにより、検索アイテムの取得時には情報端末装置が公衆回線網に接続される一方、所望の検索アイテムに関連付けられたコンテンツの受信時にはファクシミリ装置が公衆回線網に接続される。このため、情報端末装置で指定した検索アイテムに関連付けられたコンテンツをファクシミリ装置で受信することができる。したがって、本発明を利用することにより、例えば、ＮＴＴが提供するＬモードサービスにおける「ＦＡＸ  ＴＯ機能」や「ＴＥＬＬ  ＴＯ機能」を利用したサービスを、Ｌモードサービスに対応していない一般のファクシミリ装置で受けることができる。また、ファクシミリ装置におけるオフフックが検知された後にファクシミリ装置が公衆回線網に接続される。したがって、利用者はファクシミリ装置においてオフフックという簡易な操作だけでファクシミリ装置を公衆回線網に接続することができると共に、ファクシミリ層においてオフフックが検知されない時点でファクシミリ装置が公衆回線網に接続されることはない。これにより、ファクシミリ装置で確実に所望の検索アイテムに関連付けられたコンテンツを受信することができる。更に、ファクシミリ装置におけるオフフックがあった旨が公衆回線網との接続先に関わらず、情報端末装置に通知される。したがって、情報端末装置では、常にファクシミリ装置のオフフックを認識しておくことができる。
【００１０】
【発明の実施の形態】
本発明の第１の態様に係る回線制御装置は、公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて前記検索アイテムを取得すると共に前記コンテンツサーバに発呼する情報端末装置並びに前記所望の検索アイテムに関連付けられたコンテンツを受信するファクシミリ装置と前記公衆回線網との間に配置され、前記公衆回線網との接続先を前記情報端末装置と前記ファクシミリ装置との間で切り替える回線制御装置であって、
前記公衆回線網との接続先を、前記検索アイテムの取得時には前記情報端末装置に切り替える一方、前記所望の検索アイテムに関連付けられたコンテンツの受信時には前記ファクシミリ装置に切り替え、前記情報端末装置で前記コンテンツサーバに発呼した後、前記ファクシミリにおけるオフフックが検知されると、前記公衆回線網との接続先を前記情報端末装置から前記ファクシミリ装置に切り替え、前記ファクシミリ装置におけるオフフックがあると、前記公衆回線網との接続先に関わらず、その旨を前記情報端末装置に通知する構成を採る。
【００１１】
この構成によれば、検索アイテムの取得時には情報端末装置が公衆回線網に接続される一方、所望の検索アイテムに関連付けられたコンテンツの受信時にはファクシミリ装置が公衆回線網に接続される。このため、情報端末装置で指定した検索アイテムに関連付けられたコンテンツをファクシミリ装置で受信することができる。したがって、本発明を利用することにより、例えば、ＮＴＴが提供するＬモードサービスにおける「ＦＡＸ  ＴＯ機能」や「ＴＥＬＬ  ＴＯ機能」を利用したサービスを、Ｌモードサービスに対応していない一般のファクシミリ装置で受けることができる。また、ファクシミリ装置におけるオフフックが検知された後にファクシミリ装置が公衆回線網に接続される。したがって、利用者はファクシミリ装置においてオフフックという簡易な操作だけでファクシミリ装置を公衆回線網に接続することができると共に、ファクシミリ層においてオフフックが検知されない時点でファクシミリ装置が公衆回線網に接続されることはない。これにより、ファクシミリ装置で確実に所望の検索アイテムに関連付けられたコンテンツを受信することができる。更に、ファクシミリ装置におけるオフフックがあった旨が公衆回線網との接続先に関わらず、情報端末装置に通知される。したがって、情報端末装置では、常にファクシミリ装置のオフフックを認識しておくことができる。
【００１８】
本発明の第２の態様は、第１の態様に係る回線制御装置において、前記公衆回線網との接続先の切替制御は、前記情報端末装置からの指示に応じて行う構成を採る。
【００１９】
この構成によれば、回線制御装置における公衆回線網との接続先の切替制御は、情報端末装置からの指示に応じて制御される。したがって、回線制御装置で公衆回線網との接続先の切替制御について独自の制御を行う必要がないため、回線制御装置の制御を簡略化することができ、装置構成を簡易なものとすることができる。
【００２２】
本発明の第３の態様に係る情報端末装置は、公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて、前記所望の検索アイテムに関連付けられたコンテンツを受信するファクシミリ装置と共に、前記公衆回線網との接続先を本装置と前記ファクシリミ装置との間で切り替える回線制御装置に接続された情報端末装置であって、
前記所望の検索アイテムに含まれた宛先電話番号が選択されると前記コンテンツサーバに発呼し、その後に前記ファクシミリ装置における受信準備の完了を検知すると、前記公衆回線網との接続先を前記ファクシミリ装置に切り替える指示信号を前記回線制御装置に送出し、
前記コンテンツサーバに発呼した後、所定時間内に前記ファクシミリ装置における受信準備の完了を検知しない場合には前記ファクシミリ装置による前記所望の検索アイテムに関連付けられたコンテンツの受信処理を中止する構成を採る。
【００２３】
この構成によれば、情報端末装置からコンテンツサーバに発呼した後にファクシミリ装置における受信準備の完了が検知されると、公衆回線網との接続先がファクシミリ装置に切り替えられる。このため、本情報端末装置で指定した剣先アイテムに関連付けられたコンテンツをファクシミリ装置で受信することができる。したがって、本発明に係る情報端末装置及びファクシミリ装置を、回線制御装置を解して公衆回線網に接続して利用することにより、例えば、ＮＴＴが提供するＬモードサービスにおける「ＦＡＸ  ＴＯ機能」や「ＴＥＬＬ  ＴＯ機能」を利用したサービスを、Ｌモードサービスに対応していない一般のファクシミリ装置で受けることができる。また、コンテンツサーバに発呼した後、所定時間内にファクシミリ装置における受信準備の完了を検知しない場合には所望の検索アイテムに関連付けられたコンテンツの受信処理が中止される。これにより、ファクシミリ装置における受信準備の完了を検知しないにも関わらず、無制限にコンテンツの受信処理を継続するという事態を回避することができる。
【００３０】
本発明の第４の態様は、第３の態様に係る情報端末装置において、前記ファクシミリ装置による前記所望の検索アイテムに関連付けられたコンテンツの受信処理を中止した場合、その旨を示すメッセージを表示する構成を採る。
【００３１】
この構成によれば、コンテンツの受信処理が中止された場合には、その旨が本情報端末装置の表示画面等に表示される。これにより、利用者にコンテンツの受信処理が中止された旨を通知することができ、この結果、再度の受信処理等を利用者に促すことができる。
【００３２】
本発明の第５の態様は、第３又は第４の態様に係る情報端末装置において、前記ファクシミリ装置による前記所望の検索アイテムに関連付けられたコンテンツを受信している場合、その旨を示すメッセージを表示する構成を採る。
【００３３】
この構成によれば、コンテンツサーバからのコンテンツをファクシミリ装置で受信している間、本情報端末装置の表示画面等にはその旨が表示される。したがって、利用者にコンテンツの受信中である旨及び受信が完了した旨を通知することができる。この結果、利用者は、本情報端末装置の表示画面等を見るだけでファクシミリ装置における受信状態を認識することができる。
【００３４】
本発明の第６の態様は、第３から第５のいずれかの態様に係る情報端末装置において、前期ファクシミリ装置による前記所望の検索アイテムに関連付けられたコンテンツの受信が完了すると、前記公衆回線網との接続先を本情報端末装置に切り替える指示信号を前記回線制御装置に送出する構成を採る。
【００３５】
この構成によれば、ファクシミリ装置におけるコンテンツの受信処理が完了した場合には、本情報端末装置が公衆回線網に接続される。これにより、本情報端末装置で再度、検索用サーバに回線接続することで継続して所望の検索アイテムの取得等の処理を行うことができる。
【００３８】
本発明の第１５の態様に係る回線制御方法は、公衆回線網を介して検索用サーバに回線接続して検索アイテムを取得し、所望の検索アイテムに含まれた宛先電話番号を使ってコンテンツサーバに回線接続し直されると当該コンテンツサーバから前記所望の検索アイテムに関連付けられたコンテンツを配信する通信サービスにおいて前記検索アイテムを取得すると共に前記コンテンツサーバに発呼する情報端末装置と、前記所望の検索アイテムに関連付けられたコンテンツを受信するファクシミリ装置と、前記公衆回線網との接続先を前記情報端末装置と前記ファクシミリ装置との間で切り替える回線制御装置と、を用いた回線制御方法であって、
前記公衆回線網との接続先を、前記検索アイテムの取得時には前記情報端末装置に切り替える一方、前記所望の検索アイテムに関連付けられたコンテンツの受信時には前記ファクシミリ装置に切り替えるものである。
【００５０】
図１は、本発明の一実施の形態に係る情報端末装置及び回線制御装置を適用したネットワークの構成を示す図である。
【００５１】
図１において、利用者は、その宅内１００に本実施の形態に係る情報端末装置１０１、回線制御装置１０２及びＬモードサービスに対応していない一般のファクシミリ装置（以下、「ＦＡＸ」という）１０３を所有しているものとする。
【００５２】
情報端末装置１０１及びＦＡＸ１０３は、回線制御装置１０２に接続されている。回線制御装置１０２は、公衆回線網（以下、「ＰＳＴＮ」という）１０４に接続されている。情報端末装置１０１は、Ｌモードサービスの提供を受けることができる通信端末であり、回線制御装置１０２を通じてＰＳＴＮ１０４を介して、Ｌモードサービスを提供する、検索用サーバとしてのＬモードサーバ１０５にアクセスすることができる。すなわち、情報端末装置１０１は、ブラウザ機能を備え、このブラウザ機能を用いることによりＬモードサーバ１０５が提供するＬモードサービスのメニュー画面等を表示することができる。
【００５３】
回線制御装置１０２は、ＰＳＴＮ１０４と接続先を情報端末装置１０１とＦＡＸ１０３との間で切り替えるものである。この回線制御装置１０２が必要に応じて接続先を切り替えることで、情報端末装置１０１でＬモードサービスの提供を受けることができる一方、ＦＡＸ１０３で一般的なファクシミリデータの送受信を行うことができる。
【００５４】
また、回線制御装置１０２は、情報端末装置１０１でＬモードサービスの提供を受けている途中で、Ｌモードサービスの主要な機能の一つである「ＦＡＸ  ＴＯ機能」が選択された場合には、ＰＳＴＮ１０４との接続先を情報端末装置１０１からＦＡＸ１０３に切り替える。
【００５５】
情報端末装置１０１で「ＦＡＸ  ＴＯ機能」が選択され、回線制御装置１０２がＰＳＴＮ１０４との接続先をＦＡＸ１０３に切り替えることで、ＦＡＸ１０３は、ファクシミリサーバ（コンテンツサーバ）として機能するデータ格納サーバ１０６からファクシミリデータ（コンテンツ）を受信することができる。
【００５６】
以下、本実施の形態に係る回線制御装置１０２及び情報端末装置１０１と構成について詳細に説明する。
【００５７】
図２は、回線制御装置１０２の回路構成図である。回線制御装置１０２は、ＰＳＴＮ１０４側のセンター交換機（以下、単に「ＰＳＴＮ」という）に接続される第１端子部２０１と、情報端末装置１０１に設けられた網制御装置（ＮＣＵ（Network Control Unit））のデータを送受信する端子に接続される第２端子部（ＦＡＸ送受信用）２０２Ａと、情報端末装置１０１に設けられた回線網で送受信されるデータ以外のデータ（切替指示信号、オフフック検出信号、リンガ検知信号など）を送受信する信号入出力端子に接続される第２端子部（制御信号用）２０２Ｂと、ＦＡＸ１０３に設けられたファクシミリデータを送受信する端子に接続される第３端子部２０３とを有している。
【００５８】
また、回線制御装置１０２は、ＰＳＴＮ１０４に対する接続先を切り替えるために用いられる回線切替回路Ａ２０４及び回線切替回路Ｂ２０５を備え、さらに、ＦＡＸ１０３を情報端末装置１０１に接続しているときにＰＳＴＮ１０４から到来するリンガ信号を検出するために用いられる回線切替回路Ｃ２０６を備える。
【００５９】
回線切替回路Ａ２０４は、ＰＳＴＮ１０４が接続された第１端子部２０１に接続された一対のＰＳＴＮ側端子ａ１、ａ２と、回線切替回路Ｂ２０５を介してＦＡＸ１０３側に接続される一対の回線切替回路Ｂ側端子ｂ１、ｂ２と、情報端末装置１０１（データ送受信端子）に接続された第２端子部２０２Ａが常時接続された一対の情報端末側端子ｃ１，ｃ２とを有し、情報端末側端子（ｃ１，ｃ２）に接続すべき相手をＰＳＴＮ側端子（ａ１、ａ２）又は回線切替回路Ｂ側端子（ｂ１、ｂ２）の間で切り替えるものである。
【００６０】
回線切替回路Ｂ２０５は、ＰＳＴＮ１０４が接続された第１端子部２０１に接続された一対のＰＳＴＮ側端子ａ１１、ａ２２と、回線切替回路Ａ２０４を介して情報端末装置１０１側に接続される一対の回線切替回路Ａ側端子ｂ１１、ｂ２２と、ＦＡＸ１０３に接続された第３端子部２０３が常時接続された一対のＦＡＸ側端子ｄ１，ｄ２とを有し、ＦＡＸ側端子（ｄ１，ｄ２）に接続すべき相手をＰＳＴＮ側端子（ａ１１、ａ２２）又は回線切替回路Ａ側端子（ｂ１１、ｂ２２）の間で切り替えるものである。
【００６１】
このように、回線切替回路Ａ２０４及び回線切替回路Ｂ２０５の接続を切り替えるだけで、情報端末装置１０１とＰＳＴＮ１０４とを接続し、ＦＡＸ１０３とＰＳＴＮ１０４とを接続し、情報端末装置１０１とＦＡＸ１０３とを接続することができる。
【００６２】
回線切替回路Ａ２０４及び回線切替回路Ｂ２０５の切替えは、回線制御回路２０７により制御される。回線制御回路２０７は、第２端子部（制御信号用）２０２Ｂに情報端末装置１０１から与えられる制御信号にしたがって回線切替回路Ａ２０４及び回線切替回路Ｂ２０５の切替え制御している。
【００６３】
また、ＰＳＴＮ１０４に接続された第１端子部２０１との間で形成される閉回路内にリンガ検知回路２０８と回線切替回路Ｃ２０６とが直列に介挿されている。リンガ検知回路２０８は、ＰＳＴＮ１０４より到来するリンガ信号を検知する回路である。回線切替回路Ｃ２０６は、回線制御回路２０７によりＯＮ／ＯＦＦが制御される。具体的には、回線切替回路Ａ２０４が情報端末側端子（ｃ１，ｃ２）を回線切替回路Ｂ側端子（ｂ１、ｂ２）に接続しているときにＯＮ状態となり、逆に情報端末側端子（ｃ１，ｃ２）をＰＳＴＮ側端子（ａ１、ａ２）に接続しているときにＯＦＦ状態となるように制御する。
【００６４】
これにより、回線切替回路Ａ２０４及び回線切替回路Ｂ２０５を介して情報端末装置１０１とＦＡＸ１０３とを接続しているときに、ＰＳＴＮ１０４から外線着呼があってもリンガ検知回路２０８で検出できる。
【００６５】
また、ＦＡＸ１０３が接続された第３端子部２０３と回線切替回路Ｂ２０５との間に形成される閉回路内にループ検知回路２０９が設けられている。ループ検知回路２０９は、ＦＡＸ１０３においてオフフックされた場合にＦＡＸ１０３と本回線制御装置１０２との間にループが形成されたことを検知する回路である。また、ループ検知回路２０９は、情報端末装置１０１との間で制御信号を送受信する第２端子部（制御信号用）２０２Ｂに信号線を介して接続されている。そして、ループ検知回路２０９が検出したオフフック検知信号（受信準備完了信号）及びリンガ検知回路２０８が検出して送信してきたリンガ検知信号を、第２端子部（制御信号用）２０２Ｂに接続された信号線を介して情報端末装置１０１へ送信することができるようになっている。
【００６６】
なお、回線切替回路Ａ２０４の回線切替回路Ｂ側端子（ｂ１、ｂ２）と回線切替回路Ｂ２０５の回線切替回路Ａ側端子（ｂ１１、ｂ２２）とを結ぶ線に対して給電部２１０が接続されている。
【００６７】
図３は、上述の回線制御回路２０７の回路構成を示す図である。図３に示すように、回線制御回路２０７は、直列接続された３つの抵抗Ｒ１，Ｒ２，Ｒ３で２種類の閾値電圧Ｖ１，Ｖ２（Ｖ２＞Ｖ１）を発生し、情報端末装置１０１から送信されてくる電圧信号（後述する切替指示信号）を２つのコンパレータＡ３０１、コンパレータＢ３０２によって閾値電圧Ｖ１，Ｖ２（Ｖ２＞Ｖ１）と比較する。そして、コンパレータＡ３０１、コンパレータＢ３０２の出力信号を、トランジスタスイッチ３０３，３０４のベースに印加するように構成している。
【００６８】
一方のトランジスタスイッチ３０３のコレクタ端子を回線切替回路Ｂ２０５に接続し、もう一方のトランジスタスイッチ３０４のコレクタ端子を回線切替回路Ａ２０４，回線切替回路Ｃ２０６に接続している。トランジスタスイッチ３０４のコレクタ−エミッタ間が導通状態にあるときは、回線切替回路Ａ２０４の情報端末側端子（ｃ１、ｃ２）が回線切替回路Ｂ側端末（ｂ１，ｂ２）に接続され、トランジスタスイッチ３０４のコレクタ−エミッタ間が非導通状態にあるときは、情報端末側端子（ｃ１、ｃ２）がＰＳＴＮ側端子（ａ１，ａ２）に接続されるものとする。
【００６９】
また、トランジスタスイッチ３０３のコレクタ−エミッタ間が導通状態にあるときは、回線切替回路Ｂ２０５のＦＡＸ側端子（ｄ１、ｄ２）が回線切替回路Ａ側端子（ｂ１１，ｂ２２）に接続され、トランジスタスイッチ３０３のコレクタ−エミッタ間が非導通状態にあるときは、回線切替回路Ｂ２０５のＦＡＸ側端子（ｄ１、ｄ２）がＰＳＴＮ側端子（ａ１１，ａ２２）に接続されるものとする。
【００７０】
閾値電圧Ｖ１よりも低い電圧値の切替指示信号Ｓ１が情報端末装置１０１から送信されてきた場合は、トランジスタスイッチ３０３，３０４は共に非導通状態（ＯＦＦ状態）となる。このときは、回線切替回路Ａ２０４は情報端末側端子（ｃ１、ｃ２）をＰＳＴＮ側端子（ａ１，ａ２）に接続した状態となり、回線切替回路Ｂ２０５はＦＡＸ側端子（ｄ１、ｄ２）をＰＳＴＮ側端子（ａ１１，ａ２２）に接続した状態となり、回線切替回路Ｃ２０６はＯＦＦ状態となるように設定している。このような、接続状態はＰＳＴＮ１０４に対して情報端末装置１０１とＦＡＸ１０３とが共に接続された状態である。以下、この状態を第１接続モードと呼ぶ。この第１接続モードにおいては、ＦＡＸ１０３に対して送出されたリンガ信号やモデム信号を本情報端末装置１０１で検知することができる。
【００７１】
閾値電圧Ｖ１よりも高く閾値電圧Ｖ２よりも低い電圧値の切替指示信号Ｓ２が情報端末装置１０１から送信されてきた場合は、トランジスタスイッチ３０３が導通状態（ＯＮ状態）となり、トランジスタスイッチ３０４は非導通状態（ＯＦＦ状態）となる。このときは、回線切替回路Ａ２０４は情報端末側端子（ｃ１、ｃ２）をＰＳＴＮ側端子（ａ１，ａ２）に接続した状態となり、回線切替回路Ｂ２０５はＦＡＸ側端子（ｄ１、ｄ２）を回線切替回路Ａ側端子（ｂ１１，ｂ２２）に接続した状態となり、回線切替回路Ｃ２０６はＯＦＦ状態となるように設定している。このような、接続状態はＰＳＴＮ１０４と情報端末装置１０１とが接続された状態である。以下、この状態を第２接続モードと呼ぶ。
【００７２】
閾値電圧Ｖ２よりも高い電圧値の切替指示信号Ｓ３が情報端末装置１０１から送信されてきた場合は、トランジスタスイッチ３０３，３０４は共に導通状態（ＯＮ状態）となる。このときは、回線切替回路Ａ２０４は情報端末側端子（ｃ１、ｃ２）を回線切替回路Ｂ側端子（ｂ１，ｂ２）に接続した状態となり、回線切替回路Ｂ２０５はＦＡＸ側端子（ｄ１、ｄ２）を回線切替回路Ａ側端子（ｂ１１，ｂ２２）に接続した状態となり、回線切替回路Ｃ２０６はＯＮ状態となるように設定している。このような、接続状態はＰＳＴＮ１０４がリンガ検知回路２０８に接続され、情報端末装置１０１とＦＡＸ１０３とが回線切替回路Ａ２０４及び回線切替回路Ｂ２０５を介して接続された状態である。以下、この状態を第３接続モードと呼ぶ。
【００７３】
情報端末装置１０１は、この回線制御回路２０７に対して３つの異なる電圧値を有する切替指示信号Ｓ１，Ｓ２，Ｓ３を入力することで、回線制御回路２０７に与える指示を切り替える。具体的には、０Ｖ、６Ｖ及び１０Ｖの各電圧値を有する切替指示信号Ｓ１，Ｓ２，Ｓ３を送出することで、回線制御回路２０７に与える指示を切り替える。このような３つの異なる電圧値を有する切替指示信号Ｓ１，Ｓ２，Ｓ３を回線制御回路２０７に入力することで上述の３つの接続モードを実現している。
【００７４】
図４は、本実施の形態に係る情報端末装置１０１の構成を示すブロック図である。
【００７５】
図４に示すように、本実施の形態に係る情報端末装置１０１は、ハードディスク等の大容量の記憶手段を備えていない点を除き、通信機能を内蔵する一般的なパーソナルコンピュータ（以下、「ＰＣ」という）と同様の構成を備えている。
【００７６】
すなわち、情報端末装置１０１は、ＣＰＵ等の演算処理手段から構成される制御部４０１を備えている。この制御部４０１にＲＯＭ４０２及びＲＡＭ４０３が接続されている。ＲＯＭ４０２には、本情報端末装置１０１の全体を制御するために制御部４０１が実行するプログラムが格納されている。なお、本情報端末装置１０１のＲＯＭ４０２には、Ｌモードサービスの提供を受けることができるプログラムが格納されている。ＲＡＭ４０３は、制御部４０１がプログラムを実行する際のワークエリアとして利用される。
【００７７】
また、制御部４０１にはモデム４０４が接続されており、このモデム４０４には網制御装置（ＮＣＵ（Network Control Unit））４０５が接続されている。ＮＣＵ４０５が発着信の制御を行い、モデム４０４が通信データの変復調を行う。これらのモデム４０４及びＮＣＵ４０５を用いることで、本情報端末装置１０１は、Ｌモードサーバ１０５やデータ格納サーバ１０６に対して発呼動作を行うことができる。
【００７８】
さらに、制御部４０１には表示手段としてのディスプレイ４０６及び操作手段としてのキーボード４０７が接続されている。ディスプレイ４０６には、Ｌモードサービスで提供されるメニュー画面等が表示されると共に、本情報端末装置１０１の状態や利用者に対する指示が表示される。キーボード４０７は、利用者が本情報端末装置１０１に対する指示を入力する際に用いられるものである。なお、操作手段としては、キーボード４０７に限られず、マウス等のポインティングデバイスであってもよい。
【００７９】
さらに、制御部４０１には回線制御装置１０２とのインターフェイスを取るためのインターフェイス部（以下、「Ｉ／Ｆ部」という）４０８を備えている。回線制御装置１０２に対する指示信号は、このＩ／Ｆ部４０８を介して回線制御装置１０２に送出される。
【００８０】
図５は、本情報端末装置１０１の主要な機能を抜き出した機能ブロック図である。図５においては、特に回線制御装置１０２との通信の際に動作する機能を示している。
【００８１】
図５に示す情報端末装置１０１において、受信部５０１は、回線制御装置１０２から送出される信号を受信する。具体的には、回線制御装置１０２のループ検知回路２０９から送出される、ＦＡＸ１０３における回線の閉結・開放を示す検知信号やリンガ検知信号を受信する。
【００８２】
検知部５０２は、オフフック検知部５０３、外線着信検知部５０４、操作検知部５０５及びタイマ５０６を備え、受信部５０１が受信した信号や設定したタイムアップ及び利用者の操作入力を検知する。
【００８３】
オフフック検知部５０３は、受信部５０１が受信したＦＡＸ１０３における回線の閉結・開放を示す検知信号からＦＡＸ１０３におけるオフフック・オンフックを検知する。外線着信検知部５０４は、受信部５０１が受信したリンガ検知信号から外線着信を検知する。これにより、ＦＡＸ１０３を印刷手段として用いている場合でも、外線着信を優先して処理できることとなる。
【００８４】
操作検知部５０５は、キーボード４０７からの利用者の指示入力を検知する。例えば、通信中における通信中断等の指示入力を検知する。タイマ５０６は、本情報端末装置１０１における時限制御に用いられるものであり、各種処理におけるタイムアップを検知する。例えば、ＦＡＸ１０３におけるオフフックを検知する制限時間のタイムアップを検知する。
【００８５】
判別部５０７は、検知部５０２を構成する各部の検知した状態に応じて回線制御装置１０２に対する指示や本情報端末装置１０１の状態を判別する。この判別結果は、切替指示信号送出部５０８及び表示制御部５０９に通知される。
【００８６】
切替指示信号送出部５０８は、通知された判別結果に応じて回線制御装置１０２に対する指示の異なる切替指示信号を送出する。例えば、ＦＡＸ１０３におけるオフフックが検知された場合には回線制御装置１０２に対して、ＦＡＸ１０３がＰＳＴＮ１０４に接続されるように、上述した切替指示信号Ｓ３を送出する。
【００８７】
一方、表示制御部５０９は、通知された判別結果に応じて、利用者への指示を含むメッセージをディスプレイ４０６に表示する。例えば、ある処理でタイムアップしたような場合に「通信が失敗しました。最初から処理をやり直して下さい。」等の指示をディスプレイ４０６に表示する。
【００８８】
次に、本実施の形態に係る情報端末装置１０１及び回線制御装置１０２を用いてＬモードサービスの提供を受ける場合の動作について説明する。まず、図６に示すシーケンスを用いて動作の全体について簡単に説明した後、図７に示すフロー図を用いて詳細に説明する。図６は、本実施の形態に係る情報端末装置１０１及び回線制御装置１０２を用いてＬモードサービスの提供を受ける場合のシーケンスを示す。なお、図６においては、利用者は、Ｌモードサービスの「ＦＡＸ  ＴＯ機能」を利用したサービスの提供を受ける場合について示している。
【００８９】
本情報端末装置１０１を用いてＬモードサービスの提供を受けようとすると、まず、図６に示すように、情報端末装置１０１から回線制御装置１０２を第２接続モードに切り替える切替指示信号Ｓ２が送出される。この切替指示信号Ｓ２は、上述のように、６Ｖの電圧値を有する信号であり、次に接続モードを切り替える切替指示信号を送出するまで回線制御装置１０２に継続して送出され続ける。
【００９０】
切替指示信号Ｓ２を送出した後、情報端末装置１０１とＬモードサーバ１０５との間で発呼処理を経て接続処理が行われる。この接続処理が完了すると、Ｌモードサーバ１０５からＬモードサービスにおけるメニュー画面データが送出される。情報端末装置１０１では、このメニュー画面データを受信する。
【００９１】
情報端末装置１０１でメニュー画面データから所定のコンテンツの選択に応じて、Ｌモードサーバ１０５から電話番号データが送出される。この電話番号データの受信が完了すると、情報端末装置１０１とＬモードサーバ１０５との間で接続されていた回線の切断処理が行われる。
【００９２】
この回線の切断処理が完了すると、先に受信した電話番号データに基づいて本情報端末装置１０１がデータ格納サーバ１０６に発呼処理が行われる。この発呼処理を行った後、ＦＡＸ１０３におけるオフフックが検知されると（受信準備完了信号が検知されると）、本情報端末装置１０１から回線制御装置１０２を第１接続モードに切り替える切替指示信号Ｓ１が送出される。
【００９３】
なお、切替指示信号Ｓ１は、上述のように０Ｖの電圧値を有する信号である。したがって、切替指示信号Ｓ１が送出される状態とは、実際には回線制御装置１０２に対して情報端末装置１０１から信号が出ていない状態である。しかし、本実施の形態では説明の便宜上、この状態を切替指示信号Ｓ１を送出した状態として説明している。
【００９４】
切替指示信号Ｓ１を送出した後、ＦＡＸ１０３とデータ格納サーバ１０６との間で接続処理が行われる。この接続処理が完了すると、データ格納サーバ１０６からＦＡＸ１０３に対してコンテンツデータが送出される。このコンテンツデータの受信を完了すると、ＦＡＸ１０３とデータ格納サーバ１０６との間で接続されていた回線の切断処理が為される。
【００９５】
この回線の切断処理が完了すると、情報端末装置１０１から回線制御装置１０２を第２接続モードに切り替える切替指示信号Ｓ２が送出される。切替指示信号Ｓ２を送出した後、上述したのと同様の要領で情報端末装置１０１とＬモードサーバ１０５との間で発呼処理を経て接続処理が為され、Ｌモードサーバ１０５からＬモードサービスにおけるメニュー画面データが送出される。
【００９６】
次に、上記したようなシーケンスにおける本情報端末装置１０１の動作を説明する。図７は、本実施の形態に係る情報端末装置１０１の動作を説明するためのフロー図である。
【００９７】
本情報端末装置１０１を用いてＬモードサービスの提供を受けようとする場合、利用者は、まず本情報端末装置１０１を起動させ、Ｌモードサーバ１０５にアクセスする。利用者によりキーボード４０７からこの指示が入力されると、情報端末装置１０１は、まず回線制御装置１０２に対して切替指示信号Ｓ２を送出する（ＳＴ７０１）。この切替指示信号Ｓ２は、次に送出される切替指示信号まで継続して送出される。
【００９８】
この切替指示信号Ｓ２は、回線制御装置１０２を第２接続モードに切り替えるように指示するものである。本情報端末装置１０１が起動していない場合、回線制御装置１０２は、ＦＡＸ１０３でのファクシミリ通信を確保するため、ＰＳＴＮ１０４とＦＡＸ１０３とが接続された状態となる第１接続モードとなっている。この切替指示信号Ｓ２を受けることで、この第１接続モードから第２接続モードに切り替える。
【００９９】
回線制御装置１０２に対して切替指示信号Ｓ２を送出した後、本情報端末装置１０１は、Ｌモードサーバ１０５に接続するため発呼処理を行う（ＳＴ７０２）。この発呼処理を行い、Ｌモードサーバ１０５との間で接続処理を完了した後、Ｌモードサーバ１０５から送信されてくるメニュー画面データを受信する（ＳＴ７０３）。このメニュー画面データを受信すると、ディスプレイ４０６にはＬモードサービスのメニュー画面が表示される。
【０１００】
メニュー画面をディスプレイ４０６に表示したならば、利用者からメニュー画面に含まれるコンテンツが選択されたか否かを判断する（ＳＴ７０４）。一般的に、利用者は、コンテンツの選択は複数回行われて所望の情報を得るものであるが、ここでは一回の選択で所望の情報を得られたものとする。また、ここでは、ＳＴ７０４のコンテンツの選択は、そのコンテンツに含まれる「ＦＡＸ  ＴＯ機能」の選択を意味するものとする。
【０１０１】
利用者がコンテンツを選択すると、その選択したコンテンツに対応したデータがＬモードサーバ１０５から送信されてくる。ここでは、コンテンツに含まれる「ＦＡＸ  ＴＯ機能」が選択されているため、選択されたコンテンツに対応するファクシミリサーバとして機能するデータ格納サーバ１０６の電話番号データが送信されてくる。本情報端末装置１０１は、この電話番号データを受信する（ＳＴ７０５）。
【０１０２】
電話番号データを受信すると、本情報端末装置１０１は、Ｌモードサーバ１０５との間で接続されている回線の切断処理を行う（ＳＴ７０６）。この切断処理によりＬモードサーバ１０５との間で接続されていた回線が切断される。
【０１０３】
Ｌモードサーバ１０５との間で接続されていた回線を切断した後、本情報端末装置１０１は、受信した電話番号データを用いて今度はデータ格納サーバ１０６に接続するため発呼処理を行う（ＳＴ７０７）。これと同時に、本情報端末装置１０１は、内蔵するタイマ５０６に対して、回線制御装置１０２を介して接続されているＦＡＸ１０３におけるオフフックを検知するまでの制限時間をセットする（ＳＴ７０８）。このようにオフフックを検知するまでの制限時間をセットしたタイマを以下、オフフックタイマと呼ぶ。
【０１０４】
発呼処理及びオフフックタイマをセットすると、本情報端末装置１０１は、ディスプレイ４０６に対して、利用者にＦＡＸ１０３における受信準備を促す指示（以下、「受信準備指示」という）を表示する（ＳＴ７０９）。ディスプレイ４０６には、例えば、「ＦＡＸの受信操作をして下さい。」等の受信準備指示が表示される。ここで、受信準備指示は、すなわち、ＦＡＸ１０３におけるオフフックを促すものである。本実施の形態では、利用者によりオフフックがなされたことを受信準備が完了したものとみなす。したがって、利用者はＦＡＸ１０３においてオフフックという簡易な操作だけで受信準備の完了を情報端末装置１０１に通知できることとなる。
【０１０５】
このようにＦＡＸ１０３における受信準備指示を表示することにより、利用者に対してＦＡＸ１０３における受信準備を促すことができ、受信準備がされずに処理が滞ってしまう事態を回避することができる。
【０１０６】
受信準備指示をディスプレイ４０６に表示した後、本情報端末装置１０１は、先にセットしたオフフックタイマのタイムアップを判断しながら（ＳＴ７１０）、ＦＡＸ１０３におけるオフフックを検知したかを判断する（ＳＴ７１１）。このオフフックの検知は、回線制御装置１０２のループ検知回路２０９からＩ／Ｆ端子部２０２を介して本情報端末装置１０１にオフフックを検知した旨の信号が送出されたか否かにより判断される。本実施の形態では、利用者によるオフフックを受信準備の完了とみなしているため、図６では、受信準備完了信号と表現している。
【０１０７】
ＦＡＸ１０３におけるオフフックを検知しない場合には、ＳＴ７１０に処理を戻して再度オフフックタイマのタイムアップを判断する。オフフックを検知しないままオフフックタイマのタイムアップとなった場合には、本情報端末装置１０１は、ディスプレイ４０６に通信が失敗した旨を表示して処理を終了する（ＳＴ７１２）。
【０１０８】
このようにオフフックタイマのタイムアップとなった場合には、コンテンツデータの受信処理を中止している。これにより、ＦＡＸ１０３におけるオフフックを検知しないにも関わらず、無制限にコンテンツデータの受信処理を継続するという事態を回避することができる。
【０１０９】
また、コンテンツデータの受信処理を中止した旨（通信が失敗した旨）をディスプレイ４０６に表示している。これにより、利用者にコンテンツデータの受信処理が中止された旨を通知することができ、この結果、再度の受信処理等を利用者に促すことができる。
【０１１０】
ＳＴ７０９においてディスプレイ４０６には、ＦＡＸ１０３におけるオフフックを促す表示がされている。利用者は、この表示に応じてＦＡＸ１０２まで出向き、ＦＡＸ１０３をオフフック状態に切り替えることが予定されている。利用者がＦＡＸ１０３をオフフック状態に切り替えることで、本情報端末装置１０１には回線制御装置１０２を介して受信準備完了信号が送出される（図６参照）。なお、図６においては、説明の便宜上、受信準備完了信号はＦＡＸ１０３から回線制御装置１０２を介さず、直接本情報端末装置１０１に送出されているように示している。
【０１１１】
ＳＴ７１１においては、この利用者の切替動作によるＦＡＸ１０３におけるオフフックの検知を判断している。そして、ＦＡＸ１０３におけるオフフックを検知した場合には、本情報端末装置１０１は、回線制御装置１０２に対して切替指示信号Ｓ１を送出する（ＳＴ７１３）。
【０１１２】
この切替指示信号Ｓ１は、回線制御装置１０２を第１接続モードに切り替えるように指示するものである。この切替指示信号Ｓ１を送出する前段階では、回線制御装置１０２は、本情報端末装置１０１でＬモードサービスの提供を受けるため、ＰＳＴＮ１０４と本情報端末装置１０１とが接続された状態となる第２接続モードとなっている。この切替指示信号Ｓ１を受けることで、第２接続モードから第１接続モードに切り替える。
【０１１３】
本情報端末装置１０１から切替指示信号Ｓ１が送出され、回線制御装置１０２がＰＳＴＮ１０４とＦＡＸ１０３とを接続した状態となると、図６に示すように、ＦＡＸ１０３とデータ格納サーバ１０６との間で接続処理が行われる。そして、この接続処理が完了すると、データ格納サーバ１０６は、本情報端末装置１０１により指示されたコンテンツデータをＦＡＸ１０３に対して、ファクシミリ通信にて送信する。
【０１１４】
このデータ格納サーバ１０６からＦＡＸ１０３へのファクシミリ通信は、一般的なファクシミリ手順に従って実行される。このコンテンツデータをＦＡＸ１０３が受信する。このようにＬモードに対応していないＦＡＸ１０３でＬモードサービスにおける「ＦＡＸ  ＴＯ機能」を利用したサービスの提供を受けることができる。
【０１１５】
このように情報端末装置１０１でデータ格納サーバ１０６に発呼した後、ＦＡＸ１０３における受信準備の完了が検知されると、第２接続モードから第１接続モードに切り替えるようにしている。これにより、ＦＡＸ１０３において受信準備が完了していない時点でＦＡＸ１０３がＰＳＴＮ１０４に接続されることはない。これにより、ＦＡＸ１０３で確実にデータ格納サーバ１０６からのファクシミリデータを受信することができる。
【０１１６】
切替指示信号Ｓ１を送出した後、本情報端末装置１０１は、ディスプレイ４０６にコンテンツデータを受信中である旨を表示する（ＳＴ７１４）。ここでは、ファクシミリデータを受信中である旨を表示する。ディスプレイ４０６には、例えば、「ＦＡＸ受信中です。しばらくお待ち下さい。」等のメッセージが表示される。
【０１１７】
このようにコンテンツデータをＦＡＸ１０３で受信している間、本情報端末装置１０１のディスプレイ４０６にその旨を表示している。したがって、利用者にコンテンツデータの受信中である旨及び受信が完了した旨を通知することができる。この結果、利用者は、本情報端末装置１０１のディスプレイ４０６を見るだけでＦＡＸ１０３における受信状態を認識することができる。
【０１１８】
ＦＡＸ１０３に対するコンテンツデータの送信が完了すると、図６に示すように、データ格納サーバ１０６とＦＡＸ１０３との間で切断処理が行われる。ＦＡＸ１０３における切断処理は、回線を開放することで行われる。具体的には、ＦＡＸ１０３がオンフック状態に切り替えられることで切断処理が行われる。
【０１１９】
ＦＡＸ１０３におけるオンフックは、回線制御装置１０２のループ検知回路２０９により検知される。ＦＡＸ１０３におけるオンフックを検知すると、ループ検知回路２０９は、その旨を示す信号を、Ｉ／Ｆ端子部２０２を介して本情報端末装置１０１に送出する。
【０１２０】
本情報端末装置１０１は、この回線制御装置１０２から送出されるオンフックを検知した旨を示す信号を受けたかどうかを判断することで、ＦＡＸ１０３におけるオンフックを検知したか判断する（ＳＴ７１５）。ＦＡＸ１０３におけるオンフックを検知した場合には、回線制御装置１０２に対して切替指示信号Ｓ２を送出する（ＳＴ７１６）。この切替指示信号Ｓ２は、ＳＴ７０１において回線制御装置１０２に対して送出したものと同様のものであるため説明は省略する。
【０１２１】
このようにコンテンツデータの受信が完了した場合には、ＦＡＸ１０３におけるオンフックを検知して再度、回線制御装置１０２の接続モードを第１接続モードから第２接続モードに切り替えている。これにより、本情報端末装置１０１で継続してＬモードサービスにおける情報検索を行うことができる。
【０１２２】
この切替指示信号Ｓ２を送出した後、本情報端末装置１０１は、処理をＳＴ７０２に戻し、Ｌモードサーバ１０５への発呼処理を行った後（ＳＴ７０２）、メニュー画面を受信し（ＳＴ７０３）、コンテンツが選択されたか判断する（ＳＴ７０４）。ここで、コンテンツが選択された場合には、選択されたコンテンツの内容に従って再度処理を継続する。
【０１２３】
一方、利用者によりコンテンツが選択されない場合には、本情報端末装置１０１は、メニュー画面からＬモードサービスの終了指示が選択されたか判断する（ＳＴ７１７）。そして、Ｌモードサービスの終了指示が選択されているならば、本情報端末装置１０１は、処理を終了する。このようにして、本情報端末装置１０１及び回線制御装置１０２を用いてＬモードサービスの提供を受ける場合の動作を終了する。
【０１２４】
なお、本実施の形態では、データ格納サーバ１０６からのコンテンツデータをＦＡＸ１０３で受信した後に、継続して本情報端末装置１０１でＬモードサービスの提供を受ける場合について示している。しかし、これに限定されず、例えば、ＦＡＸ１０３でコンテンツデータを受信した後、再度Ｌモードサーバ１０５に発呼せず、そのまま待機状態に移行するようにしてもよい。
【０１２５】
このように本実施の形態の情報端末装置１０１及び回線制御装置１０２によれば、回線制御装置１０２を介して情報端末装置１０１及びＬモードサービスに対応していないＦＡＸ１０３をＰＳＴＮ１０４に接続し、通信する情報（データ）に応じてＰＳＴＮ１０４との接続先を切り替えるようにしている。これにより、本情報端末装置１０１でＬモードサービスの提供を受けることができる一方、Ｌモードサービスにおいてファクシミリ機能が必要となる場合にはＦＡＸ１０３のファクシミリ機能を利用することができる。したがって、Ｌモードサービスに対応していない一般のファクシミリ装置を利用してＬモードサービス、特に「ＦＡＸ  ＴＯ機能」を用いたサービスの提供を受けることができる。
【０１２６】
なお、本実施の形態では、特にＬモードサービスにおける「ＦＡＸ  ＴＯ機能」を利用したサービスを、Ｌモードに対応していないＦＡＸ１０３で受けることができる場合について説明している。しかし、これに限定されず、Ｌモードサービスにおける「ＴＥＬＬ  ＴＯ機能」を利用したサービスを、Ｌモードに対応していない電話機で受けることも可能である。この場合には、本実施の形態のようにファクシミリ手順に従ってコンテンツデータが送信されるのではなく、電話機におけるオフフックが検知された時点で音声が送信されることとなる。
【０１２７】
また、本実施の形態の情報端末装置１０１では、ＦＡＸ１０３におけるオフフックを検知して回線の閉結を判断している。しかし、これに限定されず、回線の閉結を本情報端末装置１０１が判断することができれば、どのような構成を採ってもよい。例えば、ＦＡＸ１０３におけるスタートボタンの選択に応じて回線の閉結を判断してもよい。
【０１２８】
【発明の効果】
以上説明したように本発明によれば、Ｌモードサービスに対応していない一般のファクシミリ装置を利用してＬモードサービス、特に「ＦＡＸ  ＴＯ機能」を利用したサービスの提供を受けることができる。
【図面の簡単な説明】
【図１】本発明の一実施の形態に係る情報端末装置及び回線制御装置を適用したネットワークの構成を示す図
【図２】上記実施の形態に係る回線制御装置の構成を示すブロック図
【図３】上記実施の形態に係る回線制御装置における回線制御回路の回路構成を示す図
【図４】上記施の形態に係る情報端末装置の構成を示すブロック図
【図５】上記実施の形態に係る情報端末装置の主要な機能を抜き出した機能ブロック図
【図６】上記実施の形態に係る情報端末装置及び回線制御装置を用いてＬモードサービスの提供を受ける場合のシーケンス図
【図７】上記実施の形態に係る情報端末装置の動作を説明するためのフロー図
【符号の説明】
１０１  情報端末装置
１０２  回線制御装置
１０３  ファクシミリ装置（ＦＡＸ）
１０４  公衆電話回線網（ＰＳＴＮ）
１０５  Ｌモードサーバ
１０６  データ格納サーバ
２０１〜２０３  Ｉ／Ｆ端子部
２０４  回線切替回路Ａ
２０５  回線切替回路Ｂ
２０６  回線切替回路Ｃ
２０７  回線制御回路
２０８  リンガ検知回路
２０９  ループ検知回路
４０１  制御部
４０２  ＲＯＭ
４０３  ＲＡＭ
４０４  モデム
４０５  網制御装置（ＮＣＵ）
４０６  ディスプレイ
４０７  キーボード
５０２  検知部
５０３  オフフック検知部
５０４  外線着信検知部
５０５  操作検知部
５０６  タイマ
５０７  判別部
５０８  切替指示信号送出部
５０９  表示制御部
【図１】
0003899254.tif 000002
【図２】
0003899254.tif 000003
【図３】
0003899254.tif 000004
【図４】
0003899254.tif 000005
【図５】
0003899254.tif 000006
【図６】
0003899254.tif 000007
【図７】
0003899254.tif 000008